(57)【特許請求の範囲】
【請求項１】
点火及び消火操作を行なう操作ボタンの点火及び消火操作によりガス器具栓のガス通路を開閉する係止装置と、ガス通過量を調節するニードルの径方向に挿入したピンを介して火力調節レバーの操作によりガス通過量を調節する火力調節部と、点火操作に連動して動く前記係止装置の可動部が作用することで軸受部を支点として回動し前記火力調節レバーを所定の火力位置に移動させる戻しレバーとを備え、
前記戻しレバーには、点火操作時に前記ピンに作用する第１の作用点と前記火力調節レバーに作用する第２の作用点を設け、
前記火力調節レバーが弱火力位置で点火操作が行なわれた場合、前記第１の作用点によりピンを介して火力調節レバーを中火力位置に移動させ、前記火力調節レバーが強火力位置で点火操作が行なわれた場合、前記第２の作用点により直接火力調節レバーを中火力位置に移動させるようにしたガス器具栓装置。
【請求項２】
係止装置の可動部に火力調節レバーに作用する第２の作用点を形成する戻しレバーガイドを設けると共に、火力調節レバーに第２の作用点に当接し火力調節レバーを所定の火力位置に移動させるピンを設け、点火操作時に常に中火力位置となるようにした請求項１記載のガス器具栓装置。
【請求項３】
ニードルの火力調節部のピンを軸方向に動かすレバーガイドの溝形状において、斜め方向のガイド溝の途中に、火力が中火位置となる一定の範囲の直線水平ガイド溝を設けた請求項１または２記載のガス器具栓装置。
【発明の詳細な説明】
【０００１】
【発明の属する技術分野】
本発明はガス調理器具に搭載するガス器具栓装置に関する。
【０００２】
【従来の技術】
図１２に従来例のガス器具栓装置の構造を示す。図１２において、器具に点火するには、操作部１に設けられた操作ボタン２を押し込み、その後方のガス器具栓３内の閉止弁３ａおよび安全弁３ｂおよびパイロット弁３ｃを開くことにより、どのような火力の状態であっても、ガスはパイロット通路３ｄを通るため、最大のガス量がノズル４を経由してバーナ５に供給される。
【０００３】
また、これと同時に係止装置６の動きに連動して操作ボタン２が押し込まれた状態では、点火スイッチ７が導通して点火器８で発生した高電圧が、点火プラグ９とバーナキャップ１０との間の点火部に電気火花放電を発生させる。
【０００４】
その放電によりガスを点火させ、熱素子１１を加熱して熱起電力を発生し、安全弁３ｂを開の状態で保持する。ここで操作ボタン２から手を離すと、パイロット弁３ｃは閉鎖され、同時に点火スイッチ７もオフとなり、電気火花放電も止まる。
【０００５】
この状態から火力調節レバー１２を操作すると、バーナキャップ１０に供給するガス量は、火力調節部のニードル３ｅにより調整される。さらにもう一度操作ボタン２を押し込めば、ガス器具栓３，閉止弁３ａは閉鎖され、ガスはバーナ５に供給されず消火状態になるというように構成されている。
【０００６】
【発明が解決しようとする課題】
しかしながら、上記に示した従来のガス器具栓装置においては点火と消火を行う操作とメインガスの火力を調節するレバーの操作とが、別操作になっているため、パイロットバーナに点火した後のメインガスの火力を調節するレバーの操作状態により、メインのガス流量が多い状態で点火された場合には、メインガスの点火時から多大な燃焼となって危険である。又パイロットバーナによるメインガスへの点火時にメインガス量が少い状態ではメインガスに確実に点火することが出来ない。
【０００７】
本発明は、上記従来例の難点を解決するもので、火力を調節するレバーの操作状態がどの様な状態であっても安全，確実に点火できるガス器具栓装置を実現することを課題とするものである。
【０００８】
【課題を解決するための手段】
上記課題を解決するために本発明は、一つの操作ボタンで点火と消火を行なう操作ボタンと、一つの火力調節レバーを持つガス器具栓装置において、点火及び消火操作を行なう操作ボタンの点火及び消火操作によりガス器具栓のガス通路を開閉する係止装置と、ガス通過量を調節するニードルの径方向に挿入したピンを介して火力調節レバーの操作によりガス通過量を調節する火力調節部と、点火操作に連動して動く前記係止装置の可動部が作用することで軸受部を支点として回動し前記火力調節レバーを所定の火力位置に移動させる戻しレバーとを備え、前記戻しレバーには、点火操作時に前記ピンに作用する第１の作用点と前記火力調節レバーに作用する第２の作用点を設け、前記火力調節レバーが弱火力位置で点火操作が行なわれた場合、前記第１の作用点によりピンを介して火力調節レバーを中火力位置に移動させ、前記火力調節レバーが強火力位置で点火操作が行なわれた場合、前記第２の作用点により直接火力調節レバーを中火力位置に移動させるようにしたものである。従って、点火操作時には、常に火力が中火位置となり、火力が強の位置で点火して、炎が拡がって不安全な状況となったり、火力が弱の位置で点火して、急に火力が弱になることによる不安定な燃焼状態、点火に長時間操作ボタンを押し続けたりすることなく、確実な点火が得られる。
【０００９】
【発明の実施の形態】
本発明の請求項１に記載の発明は、点火及び消火操作を行なう操作ボタンの点火及び消火操作によりガス器具栓のガス通路を開閉する係止装置と、ガス通過量を調節するニードルの径方向に挿入したピンを介して火力調節レバーの操作によりガス通過量を調節する火力調節部と、点火操作に連動して動く前記係止装置の可動部が作用することで軸受部を支点として回動し前記火力調節レバーを所定の火力位置に移動させる戻しレバーとを備え、前記戻しレバーには、点火操作時に前記ピンに作用する第１の作用点と前記火力調節レバーに作用する第２の作用点を設け、前記火力調節レバーが弱火力位置で点火操作が行なわれた場合、前記第１の作用点によりピンを介して火力調節レバーを中火力位置に移動させ、前記火力調節レバーが強火力位置で点火操作が行なわれた場合、前記第２の作用点により直接火力調節レバーを中火力位置に移動させるようにして、点火操作時に、常に中火力位置となるようにしたものである。
【００１０】
請求項２に記載の発明は、係止装置の可動部に火力調節レバーに作用する第２の作用点を形成する戻しレバーガイドを設けると共に、火力調節レバーに第２の作用点に当接し火力調節レバーを所定の火力位置に移動させるピンを設け、点火操作時に常に中火力位置となるようにしたものである。
【００１１】
請求項３に記載の発明は、ニードルの火力調節部のピンを軸方向に動かすレバーガイドの溝形状において、斜め方向のガイド溝の途中に、火力が中火位置となる一定の範囲の直線水平ガイド溝を設けたもので、この構成により火力を強または弱から中火位置に戻す場合、中火位置の一定範囲を確保して、点火時には確実に中火が得られるようにしたものである。
【００１２】
以下、本発明の実施例について、図１から図１１を用いて説明する。
（実施例１）
図１は本発明のガス調理器具の栓装置の要部分解斜視図である。操作部１３に固定されたボタンガイド１４の内側に沿って操作ボタン１５が前後に摺動する。操作ボタン１５の後方にはガス管１６に固定されたガス器具栓１７が位置している。
【００１３】
操作ボタン１５の前後の摺動動作が、係止装置１８により、ガス器具栓１７のガス通路の開閉をおこなう。ガス管１６のガスは、ガス通路の開放されたガス器具栓１７を通過してノズル１９で流量規制された後、バーナ２０に供給される。
【００１４】
一方、係止装置１８の側面に設けられたＬ字形の突起１８ａは操作ボタン１５と連動して動き、点火操作時には軸受け部２１を支点とし、戻しレバー２２の下端２２ａを力点として後方に押し込むため、火力調節レバー２３が弱位置にあれば戻しレバー２２のテーパー状の上端２２ｂは作用点として操作ボタン１５方向に移動し、ニードルピン１７ａを介して火力調節レバー２３を火力中の位置に移動させる。
【００１５】
また、火力調節レバー２３が火力強の位置にあれば、戻しレバー２２の上端２２ｂに相対した戻しレバー２２の曲げ先端部２２ｃと、火力調節レバー２３の突き出し部のテーパー部２３ａをもう一つの作用点とし、火力調節レバー２３を火力中の位置に移動させる。
【００１６】
図２は、操作ボタン１５とボタンガイド１４とガス器具栓ユニットの消火状態の斜視図である。
【００１７】
図３は、上記消火状態のガス器具栓ユニットの断面図でありガス器具栓１７内の閉止弁１７ｂおよび安全弁１７ｃは閉止状態である。
【００１８】
図４は、操作ボタン１５とボタンガイド１４とガス器具栓ユニットの点火操作時の斜視図である。操作ボタン１５の動きに連動して係止装置１８の側面に設けられたＬ字型の突起１８ａも後方に移動し、さらにその後方の戻しレバー２２の下端２２ａを後方に押し込むため、戻しレバー２２は軸受け部２１を支点として、反時計方向に回転移動し、戻しレバー２２のテーパー状の上端２２ｂは、火力が弱の位置の時ニードルピン１７ａをテーパーの垂直方向である前方上方向に移動させる。
【００１９】
その結果、火力調節レバー２３は支点２３ｂを中心に時計方向に回転移動して、火力中の位置となる。火力中から弱の範囲にて、ニードルピン１７ａと戻しレバー２２のテーパー形状の上端２２ｂと連動させるようにしている。
【００２０】
また、火力が強の位置の時、火力調節レバー２３の突き出し部のテーパー部２３ａが、図３における戻しレバー２２の曲げ先端部２２ｃと連動し、点火操作時、戻しレバー２２を後方に押し込むため、戻しレバー２２は軸受け部２１を支点として反時計方向に回転移動し、火力調節レバー２３の突き出し部のテーパー部２３ａを前方上方向に移動させ、火力調節レバー２３を支点２３ｂを中心に反時計方向に回転移動させて、火力中の位置となる。
【００２１】
この連動は、火力強から中の範囲におこなわれるようにしており、火力調節レバー２３がどの火力の位置にあっても、点火操作時には中火位置に戻るようにしている。
【００２２】
図６は、戻しレバー２２の斜視図であり、図７は火力調節レバー２３の斜視図である。
【００２３】
（実施例２）
図８は、本発明のガス器具栓ユニットの斜視図である。火力調節レバー２３にピン２３ｃを取りつけ、係止装置１８の可動部に戻しレバーガイド２４を取りつけ、火力調節レバー２３が中火から強位置にあるとき、点火操作時、係止装置１８の可動部を押し込むことにより、戻しレバーガイド２４のテーパー部２４ａを押しつけ、火力調節レバー２３のピン２３ｃを反時計方向に回転させて、中火位置で点火できるようにしたものである。
【００２４】
火力調節レバー２３が中火から弱位置にあるときは、係止装置１８の可動部を押し込むことにより、戻しレバー２２の下端２２ａを後方に押し込み、軸受け部２１を支点として、戻しレバー２２のテーパー状の上端２２ｂを作用点として、ニードルピン１７ａを介して火力調節レバー２３を時計方向に回転させて中火位置で点火できるようにしたものである。
【００２５】
（実施例３）
図９（ａ）は燃焼状態のガス器具栓ユニットの断面図であり、ニードル１７ｄは最小火力の位置を示す。
【００２６】
図９（ｂ）は燃焼状態のガス器具栓ユニットの断面図であり、ニードル１７ｄは最大火力の位置を示す。
【００２７】
ニードルの火力調節は、ニードルピンがレバーガイド２５に沿って、図９（ａ）の最小火力から図９（ｂ）の最大火力の位置を結ぶ斜め方向のガイド溝でおこなわれ、通路部面積を変化させる。
【００２８】
図１０は、本発明の最小火力と最大火力のレバーガイド２５の溝の斜め方向のガイド溝の中間に、火力が中火となる一定の直線水平ガイド溝２５ａを設けたものである。
【００２９】
図１１は、横軸に火力調節レバー２３の位置すなわちニードルの位置をとり、縦軸には火力すなわちガス流量をとり、相関を表わしたもので、中火が一定の範囲すなわち直線水平ガイド溝２５ａの範囲を確保できることを示したものである。したがって、余裕をもって中火の設定をできるようにしている。
【００３０】
【発明の効果】
以上のように本発明によれば、ガス調理器具において、点火操作時は常にガスの火力を中火の位置で点火できるので、点火時の安全性と確実性を達成することができる。また、点火時に火力を中火に確実に自動設定できる効果が得られる。
【図面の簡単な説明】
【図１】本発明の実施例１におけるガス器具栓装置の要部分解斜視図
【図２】同消火状態のガス器具栓装置の要部斜視図
【図３】同要部断面図
【図４】同点火操作時の要部斜視図
【図５】同点火操作時の要部断面図
【図６】同戻しレバーの斜視図
【図７】同火力調節レバーの斜視図
【図８】本発明の実施例２におけるガス器具栓装置の要部分解斜視図
【図９】（ａ）本発明の実施例３におけるガス器具栓装置の最小火力燃焼状態の要部断面図
（ｂ）同最大火力燃焼状態の要部断面図
【図１０】同レバーガイドの斜視図
【図１１】同火力と火力調節レバーの位置の相関図
【図１２】従来のガス器具栓装置の要部分解斜視図
【符号の説明】
１３  操作部
１５  操作ボタン
１６  ガス管
１７  ガス器具栓
１７ａ  ニードルピン
１７ｂ  閉止弁
１７ｃ  安全弁
１７ｄ  ニードル
１８  係止装置
１８ａ  突起
２１  軸受け部
２２  戻しレバー
２２ａ  下端
２２ｂ  上端
２２ｃ  曲げ先端部
２３  火力調節レバー
２３ａ  テーパー部
２３ｂ  支点
２３ｃ  ピン
２４  戻しレバーガイド
２５  レバーガイド
２５ａ  直線水平ガイド溝
【図１】
0003876454.tif 000002
【図２】
0003876454.tif 000003
【図３】
0003876454.tif 000004
【図４】
0003876454.tif 000005
【図５】
0003876454.tif 000006
【図６】
0003876454.tif 000007
【図７】
0003876454.tif 000008
【図８】
0003876454.tif 000009
【図９】
0003876454.tif 000010
【図１０】
0003876454.tif 000011
【図１１】
0003876454.tif 000012
【図１２】
0003876454.tif 000013